(57)【要約】【課題】緑化と鹿等の草食動物との共生が図れる食害防止緑化マット及び食害防止緑化工法の提供。【解決手段】下部よりポリエチレン平織遮光ネットシート、ポリエステル製不織布、植生基盤土（６センチ厚で敷き詰め、圧縮して３センチ厚に形成）、レーヨン製不織布、ポリエチレン平織遮光ネットシートの順に重ね、縦横所定間隔で縫製し、腐蝕しにくい植生マットを形成する。該植生マット上側に数ミリ目合いの格子状樹脂ネットを固定、その上面に一定間隔で孔が無数に形成された直径１０センチ前後の硬質有孔管ステップを固定し、該硬質有孔管内には上記植生マット内に内包される植生基盤土が充填されて食害防止緑化マットとする。該食害防止緑化マットを緑化対象地に敷設固定し、上面に数センチ目合いの格子状樹脂ネットを構成した緑化と草食動物との共生を図る食害防止緑化工法。【選択図】図５
2018174749.tif 000002
【特許請求の範囲】
【請求項１】
腐食しにくい植生マットの上側に草食動物の口の侵入を妨げる格子状樹脂ネットシートを設け、当該格子状樹脂ネットシート面上に一定間隔でステップを形成したことを特徴とする食害防止緑化マット。
【請求項２】
請求項１に記載の食害防止緑化マットに形成されるステップは、植物が生育伸長可能な孔が無数に構成された硬質有孔管からなり、該硬質有孔管内には植生基盤土が充填されることを特徴とするステップである。
【請求項３】
緑化対象地に請求項１に記載の食害防止緑化マットを敷設し、この上に数センチ目合いの格子状樹脂ネットシートを敷設することを特徴とする食害防止緑化工法。
【請求項４】
緑化対象地に形成された食害防止緑化マットの上に一定間隔でステップが構成されたことを特徴とする食害防止緑化工法。
【発明の詳細な説明】
【技術分野】
【０００１】
本発明は、山間部の緑化において、鹿等の草食動物による食害の防止を図る食害防止緑化マット及び緑化と草食動物との共生を図る食害防止緑化工法に関する。
【背景技術】
【０００２】
土砂崩れ防止や自然景観保持のため、法面等の施工対象地を植生緑化で保護する緑化工事が一般的に行われている。しかし、緑化施工対象地が鹿などの草食動物が出没する山間部では、緑化保護工事が行われた法面等の植物が草食動物の鹿に食い荒らされるといった被害が起き、緑化植物の生育不良や衰退といった事が起り、十分な緑化が行えないという問題が起きている。
【０００３】
そこで、草食動物による食害、又は踏み付け等による損傷を防止するため地面を覆うように配置される有孔板と、前記有孔板を前記地面から離間させ、前記有孔板と前記地面との間に植物生育空間を形成するためのスペーサと、前記地面上に配置され、前記スペーサに接合されて該スペーサが地中に沈み込むのを防止する荷重分散材とを備え、前記植物生育空間において生育した植物が前記有孔板の孔を通って伸長することができるように構成されている食害防止装置を用いた草食動物との共生を図る食害防止工法の特許文献１が開示されている。
【０００４】
しかし、鹿等の草食動物との共生を図る食害防止工法である特許文献１は、食害防止装置表面の有孔板孔より外側に伸長した部分を鹿等の草食動物が摂食するように形成されているが表面を覆う有孔板は、人や鹿が上に載っても変形しない強度を持った樹脂や金属製で構成しているため、法面などの急傾斜地に食害防止装置を形成した場合、変形しない強度を持った有孔板の上に乗った鹿の蹄は滑りやすく、歩くことや昇り降りすることが困難となり、鹿の摂食場としては不向きと言う問題がある。
【先行技術文献】
【特許文献】
【０００５】
【特許文献１】特開２０１２−６５５８７号公報
【発明の概要】
【発明が解決しようとする課題】
【０００６】
上記の食害防止装置を用いた食害防止工法は、鹿の蹄が法面では滑り易く、歩行や昇り降りが困難となるため、鹿は遠退き食害の防止は図られるが該鹿の摂食場を奪ってしまうことになり、該鹿は新たな摂食場を求めて他の所に移動し、そこで新たな食害をもたらすことになる。そこで、法面などの急傾斜地でも鹿が安全に歩行や昇り降りができ摂食することが可能であり、鹿等の草食動物に摂食されても衰退することなく何回でも再生が可能な緑化植物による法面の保護と鹿の共生が図れる食害防止緑化工法の提供である。
【課題を解決するための手段】
【０００７】
下部より遮光率８５〜９０％のポリエチレン平織遮光ネットシート、ポリエステル製不織布の順に重ねて底部を形成し、その底部上に植生基盤土（ココピート、水苔、バーク堆肥、ピートモス、木草炭粒の混合土にイネ科植物の混合種子、有機肥料、遅効性肥料、化成肥料を添加した人工土壌）を６センチ厚で敷き詰め、圧縮して３センチ厚の植生基盤土に形成し、その上にレーヨン製不織布、遮光率６５〜７０％のポリエチレン平織遮光ネットシートの順に重ねて上部を形成し、底部と上部が一体化し植生基盤土の植生基盤体内移動を抑え、構造体を堅持するように縦横所定間隔で腐蝕しにくい縫い糸を用いて縫製し、植物の芽・根を通す腐蝕しにくい植生マットを形成する。
【０００８】
上記で形成した植生マット上側に鹿の口の侵入が妨げ、成長点が根の近くにあるイネ科植物根の保護を図る数ミリ目合いの格子状樹脂ネットを設け、その上面に一定間隔で植物の生育伸長が可能な孔が無数に形成され、鹿が載っても変形しない強度を持った直径１０センチ前後の硬質有孔管ステップを形成し、該硬質有孔管内には上記植生マットを構成する植生基盤土が充填された食害防止緑化マットを形成する。
【０００９】
緑化対象地の法面に上記食害防止緑化マットを敷設固定し、該食害防止緑化マットの上面に擦り切れ防止や踏み付け損傷防止を図る数センチ目合いの格子状樹脂ネットを敷設固定し、鹿等の野生動物の歩行や昇り降りを可能としたステップを一定間隔で形成したことにより、鹿等の草食動物の摂食場として、また摂食された植生植物の再生を可能とした食害防止緑化マットによる再生緑化で野生動物との共生を図る食害防止緑化工法の提供。
【発明の効果】
【００１０】
食害防止緑化マットは、上側に鹿の口の侵入を防ぎ、蹄による踏み付け損傷を防止する数ミリ目合いの格子状樹脂ネットを形成し、生育するイネ科植物の成長点（根の近く）を保護することにより、鹿に根こそぎ摂食されることはなく、根さえ残っていればイネ科植物は衰退することなくいくらでも再生し、法面の緑化と草食動物の摂食場として共生が図れる。また、ステップを一定間隔で形成したことにより、法面などの急傾斜地でも鹿等の草食動物がステップの上に載って摂食や安定的な歩行や昇り降りを可能とした法面緑化と草食動物の共生が図れる食害防止緑化工法である。
【００１１】
さらに、食害防止緑化マットの上に二層目となる格子状樹脂ネットシートを敷設固定したことにより、鹿の蹄による食害防止緑化マットの擦り切れやステップを形成している硬質有孔管上に載っても鹿の蹄が滑ることもなく安定的に摂食や歩行を可能とし、鹿の摂食場として、他の地域に食害をもたらすことなく鹿と緑化の共生が図れる食害防止緑化工法である。また、野生動物の通り道としても利用される。
【図面の簡単な説明】
【００１２】
【図１】植生マットの構成を示す断面図である。
【図２】植生マットにステップを形成した食害防止緑化マットを示す断面図である。
【図３】食害防止緑化工法の施工手順を示す説明図である。
【図４】前記食害防止緑化工法の施工断面を示す断面図である。
【図５】前記食害防止緑化工法よる施工後を示す断面図である。
【発明を実施するための形態】
【００１３】
以下、図面を参照して本発明の具体的な実施形態を説明する。
【実施例】
【００１４】
図１は、下部より遮光率８５〜９０％のポリエチレン平織遮光ネットシート１ａ、植物の根を通すポリエステル製不織布１ｂの順に重ねて底部を形成し、その底部上に植生基盤土１ｃ（ココピート、水苔、バーク堆肥、ピートモス、木草炭粒の混合土にイネ科植物の混合種子、有機肥料、遅効性肥料、化成肥料を添加した人工土壌）を６ｃｍ厚で敷き詰め圧縮して３ｃｍ厚の植生基盤土に形成し、その上に植物の芽・根を通すレーヨン製不織布１ｄ、遮光率６５〜７０％のポリエチレン平織遮光ネットシート１ａ、の順に重ねて上部を形成し、底部と上部が一体化し植生基盤土の植生基盤体内移動を抑え、構造体を堅持するように縦横所定間隔で腐蝕しにくい繊維の縫い糸１ｅを用いて縫製して植根を保護する腐食しにくい植生マット１とする。
【００１５】
腐食しにくい材質で形成された植生マットは、赤外線や紫外線に対し耐久性が高く腐蝕することなく、夏の日差しや冬の寒さから内包される植生基盤土を長期的に保護し、植生される植物の長期生育を可能とし、法面などの急傾斜地でも植生基盤土が滑落することがなく、長期的植生緑化が可能な植生マットである。
【００１６】
図２は、上記植生マットの上側全面に鹿の口の侵入を防ぎ、成長点が根の近くにあるイネ科植物の根を保護し、蹄による踏み付け損傷を防止する数ミリ目合いの格子状樹脂ネット２を結束バンド等で結束固定し、植生マット上側に結束固定された該格子状樹脂ネットの上面に一定間隔で鹿等が載っても変形しない強度を持った直径１０センチ前後の硬質有孔管３を結束バンド４や金具等で結束固定し、植生マット面にステップを形成した食害防止緑化マット５とする。
【００１７】
なお、上記食害防止緑化マットに形成されるステップの硬質有孔管内には、植生基盤土１ｃ（ココピート、水苔、バーク堆肥、ピートモス、木草炭粒の混合土にイネ科植物の混合種子、有機肥料、遅効性肥料、化成肥料を添加した人工土壌）が挿入されステップの緑化が図られ、該食害防止緑化マット全面の緑化が図られる。また、硬質有孔管によるステップは、急傾斜地でも鹿が上に載って摂食や歩行及び安定的な昇り降りを可能とする強度を有する素材の塩ビ管や樹脂製管等で形成されている。
【００１８】
上記硬質有孔管内や植生マット内に挿入される種子は、成長点が根の近くにあり、根さえ残っていればいくらでも再生可能なイネ科植物（オーチャードグラスやチモチー等の牧草種）が混合され、鹿等に摂食されても植物の衰退防止が図られる。
【００１９】
図３は、鹿等の草食動物による食害防止を図る法面等の施工面に、食害防止緑化マット５が密着するように凹凸を整正後に敷設し、該食害防止緑化マット５の上側全面に鹿の蹄による擦り切れ防止とステップ上での滑り防止を図る数センチ目合いの格子状樹脂ネット６で覆い、図４で示すＬ型アンカーピン７を用いて該食害防止緑化マット５を法面等の施工個所に固定し、ステップを形成する硬質有孔管部３は上下から挟み込む差し込むピンが形成されたＵ型のアンカーピン８やステップを包み込むように固定するJ型アンカーピンで該硬質有孔管３を設置面に固定する食害防止緑化工法である。
【００２０】
図５は、草食動物の鹿等が生息する法面に食害防止緑化マット５を用いた食害防止緑化工法による施工１カ月後の状況である。設置された該食害防止緑化マット５に内包されているイネ科植物の種子は、該食害防止緑化マットのマット及び（ステップ）３の格子状樹脂ネットの目合いを通り該食害防止緑化マット５全面に植物１０が発芽生育しており、法面の保護と景観の向上を図っている。
【００２１】
それとともに、今後鹿等の草食動物に摂食されても成長点を保護している該食害防止緑化マット５の植物１０は何回でも再生するのでステップが付いた食害防止緑化工法は、草食動物の摂食場として草食動物と緑化が共生できる食害防止緑化工法である。また、歩行が不安定な急傾斜地法面に一定間隔でステップを形成する食害防止緑化工法による緑化施工は、草食動物以外の野生動物も不安定な急傾斜地法面を安全に歩行できる通り道（獣道）
として利用できる食害防止緑化工法でもある。
【産業上の利用可能性】
【００２２】
食害防止緑化マットを用いた食害防止緑化工法は、鹿等の草食動物が出没する山間部の緑化工事において、鹿等による食害の防止を図るとともに草食動物と共生する食害防止緑化工法として、これから大いに利用される可能性の高いものである。
【符号の説明】
【００２３】
１    植生マット
１ａ  ポリエチレン製平織ネットシート
１ｂ  ポリエステル製不織布
１ｃ  植生基盤土
１ｄ  レーヨン製不織布
１ｅ  縫い糸
２    数ミリ目合いの格子状樹脂ネット
３    硬質有孔管（ステップ）
４    結束バンド
５    食害防止緑化マット
６    数センチ目合いの格子状樹脂ネット
７    Ｌ型アンカーピン
８    Ｕ型アンカーピン
９    法面
１０    イネ科植物
【図１】
2018174749.tif 000003
【図２】
2018174749.tif 000004
【図３】
2018174749.tif 000005
【図４】
2018174749.tif 000006
【図５】
2018174749.tif 000007